(57)【要約】【課題】  不使用時の保管や現場での組み立てが簡単な止水器具であって、通路や間隙に流れ込む水流を一時的に止水できるようにする。【解決手段】  複数の棒状骨部材１は、各々同一形状を有し、水平部１ａとこの一端から延長して水平部１ａ側に戻すように鋭角で立ち上げた立上部１ｂとを有する。シート部材３は、それら棒状骨部材１を間隔を置いて同様な向きで置いたとき、それら棒状骨部材１の水平部１ａ間および立上部１ｂ間を塞ぐように覆うとともにそれら棒状骨部材１を止着する止着部を有する。【選択図】  図１
2007146469.tif 000002
【特許請求の範囲】
【請求項１】
水平部とこの一端から直角又は前記水平部側に戻すように鋭角で立ち上げた立上部とを有する複数の棒状骨部材と、
複数の前記棒状骨部材が間隔を置いて同様な向きで置かれたときに、前記棒状骨部材の前記水平部間および立上部間を塞ぐように覆うとともに前記棒状骨部材が止着される止着部を有するシート部材と、
を具備することを特徴とする止水器具。
【請求項２】
前記シート部材は、複数の前記棒状骨部材における水平部と立上部で形成される内角側に配置される請求項１記載の止水器具。
【請求項３】
前記止着部は、個々の前記棒状骨部材が挿通される挿通孔である請求項１又は２記載の止水器具。
【請求項４】
前記シート部材は、複数の前記棒状骨部材における水平部と立上部で形成される内角側および外角側の両側から複数枚で前記棒状骨部材を挟むように貼り合されたものである請求項１又は３項記載の止水器具。
【請求項５】
前記シート部材は、少なくとも一方の端部に上側に開口する有底の袋部を有してなる請求項１から４のいずれか１項記載の止水器具。
【請求項６】
前記シート部材は、防水性を有するものである請求項１から５のいずれか１項記載の止水器具。
【発明の詳細な説明】
【技術分野】
【０００１】
本発明は止水器具に係り、特に建築物や自然構造物において通路や間隙に流れ込む水流を止める持ち運び可能な簡易型の止水器具に関する。
【背景技術】
【０００２】
従来、濁流の流れ込みを防いで建築物や道路等の浸水を防止するため、予め土嚢袋を用意しておき、台風や集中豪雨によって河川が氾濫するおそれが生じた場合、その土嚢袋に土を入れて危険箇所に積み上げて堤を構築することが行われている。
【０００３】
さらに、近年では、縫製することにより形成された外袋内に、高吸水性高分子ポリマーよりなる高吸水材を収納した内袋を収め、内袋内に水を注入するとともに内袋内の空気を排出させて内袋を外袋とともに膨らませて土嚢とする提案もなされている。特開２００５−２５６２７９号公報（特許文献１）はこの分野のものである。
【特許文献１】特開２００５−２５６２７９号公報
【発明の開示】
【発明が解決しようとする課題】
【０００４】
しかしながら、上述した土を入れる土嚢袋は保管に適しているものの、使用時に土を入れる作業が必要があるから緊急事態に速やかな対応が困難であるうえ、土を入れた重い土嚢袋を搬送することが必要で、作業性が良好ではない。
【０００５】
さらに、土嚢袋に入れる土がないと使用困難であり、近年、都会に限らず郊外においても舗装率が向上して土嚢袋に入れる土を探す必要も生じ、使用に支障が生じている。
【０００６】
また、高吸水性高分子ポリマーよりなる高吸水材を収納した内袋を外袋内に収めた土嚢構成では、使用時に水を入れる作業が必要であるから、やはり緊急事態に速やかな対応が困難であるし、水を入れた重い土嚢袋を搬送することが必要で、やはり作業性が良好ではない。
【０００７】
しかも、一度使用すると再利用が困難な場合もあるうえ、高吸水材の破棄にも注意が必要となり、使い勝手が良好ではない。
【０００８】
特に、近年、地域的な集中豪雨によって中小の河川が氾濫して一般家屋の玄関や地下室等にも濁流が流れ込んで浸水する事態が社会問題になりつつあり、解決が望まれている。
【０００９】
本発明はそのような課題を解決するためになされたもので、不使用時の保管や現場での組み立てが簡単であり、建築物や自然構造物における通路や間隙に流れ込む水流を一時的に止水することが容易で、持ち運び可能な簡易型の止水器具の提供を目的とする。
【課題を解決するための手段】
【００１０】
このような課題を解決するために本発明の止水器具は、水平部とこの一端から直角又は水平部側に戻すように鋭角で立ち上げた立上部とを有する複数の棒状骨部材と、複数のそれら棒状骨部材が間隔を置いて同様な向きで置かれたときに、それら棒状骨部材の水平部間および立上部間を塞ぐように覆うとともにそれら棒状骨部材が止着される止着部を有するシート部材とを具備している。
【００１１】
そして、本発明は、上記シート部材が、複数のそれら棒状骨部材における水平部と立上部で形成される内角側に配置される構成とすることが好ましい。
【００１２】
また、本発明は、個々のそれら棒状骨部材が挿入される挿通孔を上記止着部とする構成も可能である。
【００１３】
さらに、本発明は、上記シート部材が、複数のそれら棒状骨部材における水平部と立上部で形成される内角側および外角側の両側から複数枚で棒状骨部材を挟むように貼り合わされた構成も可能である。
【００１４】
さらにまた、本発明は、上記シート部材に、少なくとも一方の端部に上側に開口する有底の袋部を有する構成も可能である。
【００１５】
しかも、本発明は、上記シート部材に防水性を持たせる構成も可能である。
【発明の効果】
【００１６】
そのような手段を備えた本発明の止水器具では、水平部とこれに対して直角又は鋭角で立ち上げた立上部とを有する複数の棒状骨部材と、間隔を置いて同様な向きで置かれたそれら棒状骨部材に対してそれらの水平部間および立上部間を塞ぐように覆ってそれら棒状骨部材を止着する止着部を有するシート部材とを具備するから、シート部材をそれら棒状骨部材に止着した状態で建築物や自然構造物の通路や間隙を塞ぐように置けば、棒状骨部材の水平部間側に溜まる水の水圧がウェイトとなって止水器具を抑えるから、止水堤として機能させることが可能である。
【００１７】
しかも、不使用時に棒状骨部材とシート部材とを別々に保管可能したりシート部材を折り重ねて保管可能であるし、それら棒状骨部材間がシート部材で覆われているから、建築物や自然構造物の通路や間隙の広狭に応じて塞ぐことが可能である。
【００１８】
そして、上記シート部材が、複数のそれら棒状骨部材における水平部と立上部で形成される内角側に配置される構成では、それらシート部材と棒状骨部材との止着構成と止水効果を確保し易い。
【００１９】
また、それら棒状骨部材が挿入される挿通孔を上記止着部とする構成では、それらシート部材と棒状骨部材との組み立て止着が簡単となる。
【００２０】
さらに、上記シート部材がそれら棒状骨部材を挟むように貼り合された構成では、シート部材自体の強度およびそれらシート部材と棒状骨部材との止着強度を一層良好に保つことが容易である。
【００２１】
さらにまた、上記シート部材に、少なくとも一方の端部に上側に開口する有底の袋部を有する構成では、その袋部に水等を入れて使用すれば、通路や間隙の構造が種々の形状となっていても、端部側にて建築物や自然構造物との間で良好な密着状態の確保が容易となり、止水効果を確保し易い。
【００２２】
しかも、上記シート部材に防水性を持たせる構成では、水漏れの防止も可能である。
【発明を実施するための最良の形態】
【００２３】
以下、本発明の実施の形態を図面を参照して説明する。
【００２４】
図１、図２および図３は本発明に係る止水器具の実施の一形態を示す概略斜視図、側面図および背面図である。
【００２５】
図１〜図３において、複数の棒状骨部材１は各々同一の形状を有し、細長い鉄棒からなり、水平部１ａと、この水平部１ａの一方の端から水平部側に戻すように直角に近い鋭角で立ち上げた立上部１ｂとを一体的に延長形成した形状を有しており、例えば細長い鉄棒を途中で屈曲させて製造される。
【００２６】
なお、複数の棒状骨部材１における水平部１ａから立上部１ｂへの屈曲部は、若干湾曲していても角状であっても良い。
【００２７】
各棒状骨部材１は鉄棒に限らず、プラスチック製や竹製等でも良いが、ある程度水圧に耐えるような材料が好適し、金属特に鉄棒が好適する。なお、単なる棒状に限らずパイプ状であっても良いし、横断面方形、楕円状、扁平であっても良い。
【００２８】
シート部材３は、プラスチック材料から可撓性および防水性を有してシート状に形成されてなり、複数のそれら棒状骨部材１が間隔を置いて同じ向きで置かれたときに、それら棒状骨部材１の水平部１ａ間および立上部１ｂ間を塞ぐように覆い、それら棒状骨部材１が止着される止着部５（図１では図示省略）を有している。
【００２９】
シート部材３に形成された止着部５は、シート部材３の片面側（裏面側）において、プラスチック材料例えばシート部材３と同様な材料からなる止着片６を縫いつけや溶着によって取り付けて棒状骨部材１の挿通孔７から形成されている。
【００３０】
すなわち、止着部５としての挿通孔７は、それら複数の棒状骨部材１が間隔を置いて同じ向きで置かれたときに、それら棒状骨部材１の水平部１ａおよび立上部１ｂの各々が２〜３カ所ずつ挿通されるような位置に間隔を置いて直列に、かつ複数列で各々平行に形成されている。
【００３１】
そのため、複数の棒状骨部材１にシート部材３が止着されるとともに互いに間隔を置いて棒状骨部材１が置かれて止水器具が構成された状態では、地面や床に置かれたときには自立構成となるうえ、シート部材３を折り重ねて持ち運びも可能となる。
【００３２】
なお、棒状骨部材１およびシート部材３は、所定の外径や厚み寸法を有するが、便宜上、図１において簡略化して図示した。
【００３３】
さらに、シート部材３は「たるみ」などが生じるが、便宜上、図面ではそれらを省略した。
【００３４】
このような本発明の止水器具は、図４および図５に示すように、シート部材３をそれら棒状骨部材１に止着するとともに棒状骨部材１間の間隔を開けた状態で、棒状骨部材１の水平部１ａを地面９や床に置くようにして建築物の壁１１の間の通路１３を塞ぐように置いて使用される。
【００３５】
しかも、止水器具は、シート部材３が可撓性を有するから、棒状骨部材１の間隔を任意に弛ませたり、更には図６Ａ又はＢに示すように、扇型に変形させて置くことも可能である。
【００３６】
そして、万一、水が流れてきても、図５に示すように、水１５が棒状骨部材１の水平部１ａをシート部材３の上から乗ってウェイトとなり、止水器具が動き難くなるうえ、水平部１ａをおよび立上部１ｂ間を覆うシート部材３によって水が堰き止められる。
【００３７】
しかも、水１５が棒状骨部材１の水平部１ａをシート部材３の上から乗ってウェイトとなるうえ、立上部１ｂが水平部１ａ側に対して鋭角状に屈曲しているから、シート部材３もそれにそって鋭角状の壁となり、止水器具自体が倒れ難い。
【００３８】
もっとも、本発明に係る止水器具は、棒状骨部材１の立上部１ｂが水平部１ａに対してある程度鋭角状に屈曲しているから、両側の棒状骨部材１と建築物の壁１１との間に隙間が生じる可能性もある。
【００３９】
しかし、両側の棒状骨部材１の配置向きを斜めに変えたり、両側の棒状骨部材１のみほぼ直角に屈曲させたり、従来の土嚢で塞ぐなどして隙間の発生を防ぎ、水を堰き止めることが十分可能である。
【００４０】
なお、棒状骨部材１の水平部１ａに相当するシート部材３上には、図５に示すように、予め別の重し１７を配置することも可能であり、不要の移動や転倒を防止できる。
【００４１】
さらに、シート部材３が棒状骨部材１の水平部１ａと立上部１ｂ間で形成される内角側ａ（図２参照）に配置されるから、水圧が加わってもシート部材３が棒状骨部材１から剥がれ難い。
【００４２】
このような本発明の止水器具におけるシート部材３は、図７に示すように、棒状骨部材１の水平部１ａと立上部１ｂで形成される内角側ａおよび外角側ｂ（図２参照）の両側から２枚又は複数のシート３ａ、３ｂで棒状骨部材１を挟むように貼り合せるとともに、棒状骨部材１の挿通される複数の長い挿通孔７を平行に形成する構成も可能である。
【００４３】
このようなシート部材３は、挿通孔７の端から棒状骨部材１を挿通せば、簡単に組立られるし、シート部材３自体の強度が良好であるうえ、耐水力強度も良好である。
【００４４】
もっとも、そのような複数の長い挿通孔７をシート部材３に平行に形成するには、２枚のシート３ａ、３ｂを貼り合せる以外に、細長い止着片を図２や図３のように止着しても形成可能である。
【００４５】
さらに、シート部材３に棒状骨部材１を止着する構成は、棒状骨部材１を挿通する構成に限らず、シート部材３に取り付けた紐によって棒状骨部材１を結びつけることによっても可能である。
【００４６】
図８は本発明の止水器具に係る別の実施の形態を示す概略斜視図である。
【００４７】
すなわち、図８に示す構成は、シート部材１の片側端部に、上側に開口部（開口）１９ａを有する有底の袋部１９を一体的又は連結して有する構成を示すものであり、その袋部１９には開口部１９ａから水等を溜めることが可能である。
【００４８】
このようにシート部材１において左右の端部に有底の袋部１９を有する構成では、その袋部１９には水等を溜めることによって、地面の通路１３の壁１１に凹凸がってもそれに沿って端部側でシート部材１や棒状骨部材１が密着し易く、水漏れを防ぎ易い。
【００４９】
もちろん、袋部はシート部材１の両側に袋部１９を形成することも可能であり、少なくとも一方の端部に上側に開口する有底の袋部１９を設ければその目的達成が可能である。
【００５０】
本発明の止水器具に用いる棒状骨部材は、その途中でくの字状に屈曲させるが、その角度は比較的大きな鋭角であれば本発明の目的が確実に得られる。なお、棒状骨部材は、上方向から見た平面的には、水平部１ａが立上部１ｂより十分長く突出していた方が安定的で好ましい。
【００５１】
さらに、図示はしないが、１本の棒状に限らず、折り畳まれた２本の棒状体を連結するとともに、その連結部ではそれら連結した棒状体の一方を曲げた状態で形状を保持させるロック構造を有して構成することも可能である。
【００５２】
本発明の止水器具に用いるシート部材３の材料は、塩化ビニール樹脂、合成ゴム系シート、ポリエチレン樹脂など使用が可能であるが、水より比重が多きく、ある程度水圧に耐えるような材料や形状が好適する。
【００５３】
もっとも、シート部材３は、必ずしも防水性を有するものに限定されず、布製のものであっても良いが、水圧で破れ難いものが好ましい。
【００５４】
しかも、シート部材３は、図示はしないが、適宜、補強用の可撓性芯部材を網の目状に埋設配置すると好ましい。
【００５５】
なお、本発明の止水器具は、棒状骨部材１とシート部材３が止着された構成に限らず、止着する前の棒状骨部材１とシート部材３の組合せも含むものである。
【図面の簡単な説明】
【００５６】
【図１】本発明に係る止水器具の実施の一形態を示す概略斜視図である。
【図２】図１に係る止水器具の側面図である。
【図３】図１に係る止水器具の背面図である。
【図４】本発明に係る止水器具の使用例を示す概略平面図である。
【図５】本発明に係る止水器具の使用例を示す断面図である。
【図６】本発明に係る止水器具の使用例を示す概略平面図である。
【図７】本発明に係る止水器具に用いるシート部材の他の例を示す斜視図である。
【図８】本発明に係る止水器具の他の実施の形態を示す概略斜視図である。
【符号の説明】
【００５７】
１  棒状骨部材
１ａ  水平部
１ｂ  立上部
３  シート部材
３ａ、３ｂ  シート
５  止着部
６  止着片
７  挿通孔
９  地面
１１  壁
１３  通路
１５  水
１７  重し
１９ａ  開口部
１９  袋部
【図１】
2007146469.tif 000003
【図２】
2007146469.tif 000004
【図３】
2007146469.tif 000005
【図４】
2007146469.tif 000006
【図５】
2007146469.tif 000007
【図６】
2007146469.tif 000008
【図７】
2007146469.tif 000009
【図８】
2007146469.tif 000010